(57)【要約】【課題】軽量で持ち運び及び組立・分解が簡単な携帯移動型標的装置を提供する。【解決手段】この発明の装置は、枠状に囲まれた中空の内部に標的用のボード４を着脱交換可能に正面向きに取り付ける支持フレーム２と、上記ボード４の背面側において支持フレーム２に対して着脱可能に取り付けられ、ボード４を通過した弾丸を受け止めて下方に落下せしめるシート状部材よりなる集弾幕２６と、上記床面上に接地して支持フレーム２をスタンド状態で支持する脚部８とを備えている。上記支持フレーム２が２本以上の支柱５と、支柱５，５間に上下に架設される左右方向のステー６，７とを備えており、支柱５とステー６，７のいずれか一方又は両方を軸方向に伸縮調節可能に構成し、少なくとも伸長状態を係脱可能にロックするロック部材９を設けている。【選択図】　　　　　図１
2004138294.tif 000002
【特許請求の範囲】
【請求項１】
枠状に囲まれた中空の内部に標的用のボード（４）を着脱交換可能に正面向きに取り付ける支持フレーム（２）と、上記ボード（４）の背面側において支持フレーム（２）に対して着脱可能に取り付けられ、ボード（４）を通過した弾丸を受け止めて下方に落下せしめるシート状部材よりなる集弾幕（２６）と、上記床面上に接地して支持フレーム（２）をスタンド状態で支持する脚部（８）とを備えてなる携帯移動型標的装置。
【請求項２】
支持フレーム（２）が２本以上の支柱（５）と、支柱（５），（５）間に上下に架設される左右方向のステー（６），（７）とを備えた請求項１の携帯移動型標的装置。
【請求項３】
支柱（５）とステー（６），（７）のいずれか一方又は両方を軸方向に伸縮調節可能に構成し、少なくとも伸長状態を係脱可能にロックするロック部材（９）を設けてなる請求項２の携帯移動型標的装置。
【請求項４】
支持フレーム（２）の上端側に使用状態で支持フレーム（２）の外側に突出させて集弾幕（２６）の外側端を伸展させて支持し、格納状態で支持フレーム（２）に沿って左右方向に折り畳み収納される補助アーム（１２）を取り付けてなる請求項２又は３の携帯移動型標的装置。
【請求項５】
脚部（８）が使用状態で支持フレーム（２）に対して前後方向に突出し、格納状態で支持フレーム（２）に沿って左右方向に折り畳み収納されるように支持フレーム（２）に取り付けられている請求項１，２，３又は４の携帯移動型標的装置。
【請求項６】
ボード（４）を支持フレーム（２）側に取り付けるボードクリップ（３）を設けてなる請求項１，２，３，４又は５の携帯移動型標的装置。
【請求項７】
ボード（４）の表面に標的を表した標的シート（３３）を１枚以上貼着してなる請求項１，２，３，４，５又は６の携帯移動型標的装置。
【請求項８】
支持フレーム（２）の上部ステー（６）に集弾幕（２６）の上端側を取り付けて支持する取付部（２７）と、集弾幕（２６）の下部位置には支持フレーム（２）に対して位置決め固定する位置決め部（２８）を設けてなる請求項２，３，４，５，６又は７の携帯移動型標的装置。
【請求項９】
集弾幕（２６）の下部前方には集弾幕（２６）に沿って落下する弾丸を受け取る上部開口型の箱状又は袋状の弾丸受け（２９）を設け、集弾幕（２６）の両側下端が該弾丸受け（２９）に向かって収束して固定される請求項１，２，３，４，５，６，７又は８の携帯移動型標的装置。
【発明の詳細な説明】
【０００１】
【発明の属する技術分野】
この発明は主としてプラスチック製の模擬弾を使用する射撃訓練等に適した携帯移動型標的装置に関する。
【０００２】
【従来の技術】
【特許文献１】特開２０００−１３９３００号
【特許文献２】特開平９−３１８２９９号
【特許文献３】特開平９−２８０７９４号
従来警察官等の射撃訓練は特別に設置された射撃場や射撃訓練場において行われており、例えば上記特許文献１，同２に示される標的装置もこれらの特設場所に設置するもので、任意の場所に移動して使用するには適さなかった。
【０００３】
これに対し特許文献３に示されるように、任意な場所に運搬して簡単にセットでき、訓練後も簡易迅速に片付けることのできる脚付きのフレームを備えたスタンド型の標的装置が知られている。
【０００４】
【発明が解決しようとする課題】
上記特許文献３の装置は、実弾の射撃練習用として提案されていることもあって全体として構造及び寸法的に頑丈であり、フレームと脚部８を分解してもなお、持ち運びや現場組立等の取り扱いに不便である。
この発明は上記問題点を解消又は改善し、任意な場所への持ち運び及び現場での組立や分解が簡単で経済性のよい標的装置を提供せんとするものである。
【０００５】
【課題を解決するための手段】
上記課題を解決するための本発明の装置は、第１に枠状に囲まれた中空の内部に標的用のボード４を着脱交換可能に正面向きに取り付ける支持フレーム２と、上記ボード４の背面側において支持フレーム２に対して着脱可能に取り付けられ、ボード４を通過した弾丸を受け止めて下方に落下せしめるシート状部材よりなる集弾幕２６と、上記床面上に接地して支持フレーム２をスタンド状態で支持する脚部８とを備えてなることを特徴としている。
【０００６】
第２に、支持フレーム２が２本以上の支柱５と、支柱５，５間に上下に架設される左右方向のステー６，７とを備えたことを特徴としている。
【０００７】
第３に、支柱５とステー６，７のいずれか一方又は両方を軸方向に伸縮調節可能に構成し、少なくとも伸長状態を係脱可能にロックするロック部材９を設けてなることを特徴としている。
【０００８】
第４に、支持フレーム２の上端側に使用状態で支持フレーム２の外側に突出させて集弾幕２６の外側端を伸展させて支持し、格納状態で支持フレーム２に沿って左右方向に折り畳み収納される補助アーム１２を取り付けてなることを特徴としている。
【０００９】
第５に、脚部８が使用状態で支持フレーム２に対して前後方向に突出し、格納状態で支持フレーム２に沿って左右方向に折り畳み収納されるように支持フレーム２に取り付けられていることを特徴としている。
【００１０】
第６に、ボード４を支持フレーム２側に取り付けるボードクリップ３を設けてなることを特徴としている。
【００１１】
第７に、ボード４の表面に標的を表した標的シート３３を１枚以上貼着してなることを特徴としている。
【００１２】
第８に、支持フレーム２の上部ステー６に集弾幕２６の上端側を取り付けて支持する取付部２７と、集弾幕２６の下部位置には支持フレーム２に対して位置決め固定する位置決め部２８を設けてなることを特徴としている。
【００１３】
第９に、集弾幕２６の下部前方には集弾幕２６に沿って落下する弾丸を受け取る上部開口型の箱状又は袋状の弾丸受け２９を設け、集弾幕２６の両側下端が該弾丸受け２９に向かって収束して固定されることを特徴としている。
【００１４】
【発明の実施の形態】
図１〜３は本発明装置の使用状態を示す全体正面図と側面図及び平面図である。装置１は全体として枠状をなす支持フレーム２と、該支持フレーム２の枠状の中空内部に複数個（この例では４個）のボードクリップ３によって着脱可能に正面向きに支持される着弾用（標的用）のボード４とを備えている。
上記ボード４としては段ボール紙のほか発泡材製のプレート、木製板等任意な材料が選択できるが、剛性及び再利用の点では段ボール紙が望ましい。
【００１５】
支持フレーム２は左右の支柱５，５と支柱間の上端及び下端側に架設される横方向の上部ステー６，下部ステー７とからなっており、各支柱５の下端には使用時に前後方向を向いて接地し、支持フレーム２をスタンド状態で保持する脚部８が付設されている。
【００１６】
各支柱５は下部より大，中，小と順次径が細くなる複数本（３本）のパイプ５ａ〜５ｃを、順次スライド可能に嵌合して伸縮調節できる構造となっており、上下のステー６，７も中間に接合用の細径パイプ６ａ，７ａを両端のパイプ６ｂ，７ｂと嵌合し、その少なくとも一方をスライド伸縮可能に構成している。そして各支柱５，ステー６，７にはそれぞれ適度なスライド伸長位置（長さ）でセットするセットボルト９をロック部材として設けている。支持フレーム２は伸長状態で例えば高さ１６００ｍｍ、支柱間隔８００ｍｍ程度に作られる。
【００１７】
上記セットボルト９を緩めて各支柱５及びステー６，７を最小寸法までスライド縮小すると、図示する例では図４に示す状態に縮小され、袋状，箱状のケースに収容して携帯し得る程度に縮小される。
【００１８】
支持フレーム２の上端部のステー６の外側端には、コ字形断面のジョイント部材１１を介して補助アーム１２が約１８０°回動可能な如く軸支ボルト１３によって支持されている（図５参照）。この補助アーム１２は、外側に突出させた使用姿勢と、上部ステー６の両端に沿って折り畳まれた格納姿勢とに切換及び固定が可能である。
【００１９】
また脚部８は支持フレーム２の左右両下端に付設したブラケット１４にボルト１６で取り付けられているが、脚部８自体は正面側と背面側に突出するＬ字形（アングル状）断面よりなる一対の脚部材８ａ，８ｂよりなり、折り畳み（格納）状態では一方の部材８ａが他方の部材８ｂのＬ字形内に収納され、共に下部ステー７の下側で重なり合って固定される構造となっている。
【００２０】
即ち、各脚部材８ａ，８ｂは図５に示すように、互いに突合された状態で前後方向に直線状をなしてブラケット１４にねじ止めされて取り付けるが、ブラケット１４の中心において共通の支点ボルト１７で重ね合わされて、共に内側に向かって回動可能な状態で取り付けられる。
【００２１】
そして各脚部材８ａ，８ｂともに使用状態（姿勢）ではブラケット１４の前後両端のボルト孔にボルト１６によりそれぞれ締着されて前後向き直線状に固定され、その底面が同時に床面に接地して支持フレーム２をスタンド状態で保持する。
【００２２】
また格納状態にする時は、前後のボルト１６を外して中心の支点ボルト１７を緩めた状態で両脚部材８ａ，８ｂを共に内側に９０°水平回動させると一方の脚部材８ａが他方の脚部材８ｂの内部に収容され、両者はゲート状に重なり合い且つ下部ステー７の下側にも重なり合う。この状態で支点ボルト１７を締着セットする。上下のステー６，７と左右の支柱５を縮小させ、補助アーム１２と脚部材８ａ，８ｂを格納した状態が図４に示す全体の縮小状態である。１８は脚部材８ａ，８ｂを使用状態でブラケット１４に締着する際の各脚部材８ａ，８ｂの段差を解消するスペーサである。
【００２３】
ボードクリップ３は図５に示すように、前後方向に伸縮調節させ、セットボルト２１により適宜長さでセットできる伸縮アーム２２と、該（伸縮）アーム２２の後端部に付設され、支柱５を弾力的に且つ係脱可能に把持するフレーム側のクリップ２３と、アーム２２の前端に付設され、ボード４を弾力的に且つ係脱可能に把持するボード側のクリップ２４とで構成される。
【００２４】
図６は支持フレーム２に取り付けられる集弾幕２６を示し、集弾幕２６は全体として概ね使用状態の支持フレーム２の幅と高さを備えた長方形又は略正方形に形成されたテント地等と同様な強力な布シート等で構成される。集弾幕２６は、ボード４を通過した弾丸を受け止めて下方に落下させる案内シートである。
【００２５】
そしてその上端には、支持フレーム２側の左右の補助アーム１２，１２及び上部ステー６の背面側に付設した平面ファスナー又はベルベットファスナー２７（図５参照）と対応した平面（ベルベット）ファスナー２７を取付部として設けている。
【００２６】
したがって上記取付部２７により集弾幕２６は支持フレーム２の上端の全幅にわたって着脱可能に取り付けられる。そして集弾幕２６の下部位置には支持フレーム２側の支柱５，５を挿通する通し孔２８が、集弾幕２６を支持フレーム２に対して位置決め固定する位置決め部として設けられている。
【００２７】
また図１〜３に示すように支持フレーム２前方のボード４の下方位置には、集弾幕２６に沿って落下して来る弾丸を受け止める上部開放形の箱状又は袋状の弾丸受け２９が、上記集弾幕２６に縫着、貼着によって固着し、又は平面ファスナー等によって着脱可能に固定して設けられる。
【００２８】
そして集弾幕２６の両側下方部は、使用状態においては図１〜３に示すように上記弾丸受け２９に向かって収束して平面ファスナー等によって固定されることが望ましい。この時補助アーム１２の下方より垂れ下がる幕部分は、射撃後の弾丸が標的の側方に向かって飛ぶのを防止して下方に落下させる跳弾防止部として作用する。
【００２９】
上記構造により、ボード４を通過した弾丸はすべて集弾幕２６に当接して弾丸受け２９に集められて収納される。
【００３０】
ボード４はそれ自体の表面に標的が印刷等により表示されていてもよいが、図１に示すように予め標的が印刷された標的ペーパー（シート）３３を使用後の剥離が可能な如く貼着することができ、ボードのみを繰り返し使用できる点でこの方が有利である。また標的シート３３は訓練者が１人の場合は１枚でよいが、複数人の場合は、図１に示すように複数枚（この例では４枚）貼付表示することが可能である。
【００３１】
その他例えば上下のステー６，７間に例えば２本の中間ステー（図示しない）等を配置固定して、上下の２本のステー間に小型のボードをクリップで保持させる等の変形使用やそのための変形構造にすることも可能である。
【００３２】
また３本以上の支柱５をステー６，７で連結して幅広の多人数用の標的装置を構成することもでき、この方法と上記の中間ステーを設ける方式とを組み合わせる実施例も可能である。これらの変形例は射撃場やその代用として用いる場所の広さ、訓練者の人数等の情況により任意に選択決定できる。
【００３３】
【発明の効果】
以上のように構成される本発明の装置によれば、軽量化及びサイズのコンパクト化ができるので、任意な場所への携帯移動が可能で、現場での組立及び分解も容易に行い得るように構造が簡単で低コスト且つ安全な標的装置を提供できる。
特にプラスチック製等の模擬弾丸を使用する射撃訓練に適している。
【００３４】
また軽量で構造が簡単であるにもかかわらず、広範囲の防弾エリアを形成でき、集弾機能のほか跳弾防止機能等による安全性も高い等の利点がある。
【図面の簡単な説明】
【図１】本発明装置の使用状態を示す正面図である。
【図２】同じく装置の側面図である。
【図３】同じく装置の平面図である。
【図４】（Ａ），（Ｂ）は本発明装置の本体部分フレームの縮小状態を示す正面図及び側面図である。
【図５】本発明装置のフレーム部の構造を示す拡大斜視図である。
【図６】本発明装置の集弾幕及び弾丸受けの正面図である。
【符号の説明】
２　　支持フレーム
３　　　ボードクリップ
４　　　ボード
５　　　支柱
６，７　　　ステー
８　　　脚部
８ａ，８ｂ　　脚部材
９　　　ロック部材
１２　　　補助アーム
２６　　　集弾幕
２７　　　取付部（ファスナー）
２８　　　位置決め部（挿通孔）
２９　　　弾丸受け
３３　　　標的シート
【図１】
2004138294.tif 000003
【図２】
2004138294.tif 000004
【図３】
2004138294.tif 000005
【図４】
2004138294.tif 000006
【図５】
2004138294.tif 000007
【図６】
2004138294.tif 000008